(57)【特許請求の範囲】
【請求項１】
被検眼の眼底に第１測定光を照射するとともに該眼底で反射される第１測定光の波面を第１受光素子で受光して前記被検眼の眼球の波面収差を測定する眼球波面収差測定光学系と、前記被検眼の角膜に第２測定光を照射するとともに該角膜で反射する第２測定光を第２受光素子で受光して該角膜の波面収差を測定する角膜波面収差測定光学系と、前記眼球波面収差測定光学系の第１受光素子の受光信号に基づいて眼球波面収差を演算する眼球波面収差演算手段と、前記角膜波面収差測定光学系の第２受光素子の受光信号に基づいて角膜の波面収差を演算する角膜波面収差演算手段と、前記眼球波面収差演算手段によって求めた眼球波面収差をマップ表示する表示手段とを備えた眼科装置であって、
前記眼球波面収差測定光学系および角膜波面収差測定光学系により連続して眼球波面収差および角膜波面収差を複数回測定し、
この測定によって得られた複数の眼球波面収差の標準偏差または平均値を求め、
この標準偏差または平均値が予め設定した基準値以下のとき、前記測定によって得られた複数の角膜波面収差を示す各マップを前記表示手段に表示させ、
前記標準偏差または平均値が予め設定した基準値より大きいとき、前記測定によって得られた複数の眼球波面収差の各マップを前記表示手段に表示させることを特徴とする眼科装置。
【請求項２】
被検者のランドルト環の見え方を前記各眼球波面収差毎にシミュレーションし、このシミュレーションしたランドルト環を前記表示手段に表示させることを特徴とする請求項１に記載の眼科装置。
【請求項３】
前記測定によって得られた複数の眼球波面収差および角膜波面収差の変化をグラフにして前記表示手段に表示させることを特徴とする請求項１または請求項２に記載の眼科装置。
【発明の詳細な説明】
【技術分野】
【０００１】
この発明は、被検眼の眼球の波面収差を測定する眼球波面収差測定光学系と、被検眼の角膜の収差を測定する角膜収差測定光学系とを備えた眼科装置に関する。
【背景技術】
【０００２】
従来から、被検眼の眼球の波面収差と被検眼の角膜の収差とを同時に測定する眼科装置が知られている（特許文献１参照）。
【０００３】
かかる眼科装置は、被検眼の眼底に測定光を照射する測定照射光学系と、眼底で反射した測定光の波面を受光する受光光学系と、プラチドリングパターンを角膜に投影するリングパターン投影光学系と、角膜で反射したリングパターンを受光するリングパターン受光光学系等とを備え、受光光学系の受光素子が受光する受光信号に基づいて眼球全体の波面収差を求め、リングパターン受光光学系の受光素子の受光信号に基づいて角膜収差を求めるものである。
【０００４】
この眼科装置は、涙液層がドライアップすると波面収差が大きくなることを利用することにより、波面収差や角膜収差を求めてドライアイの臨床に有効に用いられるようにするものである。
【０００５】
近年、波面収差を視覚的に捉えられるように、波面収差を示すマップをモニタに表示するようにした眼科装置が提案されている。
【先行技術文献】
【特許文献】
【０００６】
【特許文献１】特開２００４−２７５６９７号公報
【発明の概要】
【発明が解決しようとする課題】
【０００７】
しかしながら、このような眼科装置にあって、波面収差からドライアイでないと判断した場合、モニタには経時的にほとんど変化のない波面収差を示すマップを表示するだけなので、ほんとにドライアイでないか否かの確証を得ることができないという問題があった。
【０００８】
この発明の目的は、ドライアイでないことの確証を得ることのできる眼科装置を提供することにある。
【課題を解決するための手段】
【０００９】
請求項１の発明は、被検眼の眼底に第１測定光を照射するとともに該眼底で反射される第１測定光の波面を第１受光素子で受光して前記被検眼の眼球の波面収差を測定する眼球波面収差測定光学系と、前記被検眼の角膜に第２測定光を照射するとともに該角膜で反射する第２測定光を第２受光素子で受光して該角膜の波面収差を測定する角膜波面収差測定光学系と、前記眼球波面収差測定光学系の第１受光素子の受光信号に基づいて眼球波面収差を演算する眼球波面収差演算手段と、前記角膜波面収差測定光学系の第２受光素子の受光信号に基づいて角膜の波面収差を演算する角膜波面収差演算手段と、前記眼球波面収差演算手段によって求めた眼球波面収差をマップ表示する表示手段とを備えた眼科装置であって、
前記眼球波面収差測定光学系および角膜波面収差測定光学系により連続して眼球波面収差および角膜波面収差を複数回測定し、
この測定によって得られた複数の眼球波面収差の標準偏差または平均値を求め、
この標準偏差または平均値が予め設定した基準値以下のとき、前記測定によって得られた複数の角膜波面収差を示す各マップを前記表示手段に表示させ、
前記標準偏差または平均値が予め設定した基準値より大きいとき、前記測定によって得られた複数の眼球波面収差の各マップを前記表示手段に表示させることを特徴とする。
【発明の効果】
【００１０】
この発明によれば、変化の大きい角膜収差を示すマップを表示手段に表示するので、ドライアイでないことの確証を得ることができる。
【図面の簡単な説明】
【００１１】
【図１】この発明に係る眼科装置の光学系の配置を示した光学配置図である。
【図２】図１に示す眼科装置の制御系の構成を示したブロック図である。
【図３】被検眼側から正面視したプラチドリングパターンを模式的に示す説明図である。
【図４】エリアセンサ（その受光面）上に結像されたプラチドリングパターン像を示した説明図である。
【図５】Ｚアライメントがずれた状態を説明するための図４と同様な説明図である。
【図６】眼底の照明光と反射光とを模式的に示した説明図である。
【図７】制御演算部の処理動作の一部を示したフロー図である。
【図８】被検眼の波面収差とシミュレーションしたランドルト環等を表示したモニタ画面の説明図である。
【図９】角膜の波面収差等を表示したモニタ画面の説明図である。
【発明を実施するための最良の形態】
【００１２】
以下、この発明に係る眼科装置の実施の形態である実施例を図面に基づいて説明する。
【実施例】
【００１３】
図１に示す眼科装置１０は、被検眼Ｅの眼底Ｅｆに測定光束（第１測定光）を照明（照射）するとともに眼底Ｅｆで反射される測定光束の波面を受光して被検眼Ｅの眼球の波面収差を測定する眼球波面収差測定光学系１００と、被検眼Ｅの角膜Ｅｃにリングパターン光（第２測定光）を投影（照射）するとともに角膜Ｅｃで反射するリングパターン光を受光して角膜Ｅｃの収差を測定する角膜波面収差測定光学系２００と、被検眼Ｅの前眼部を照明する前眼部照明光学系５０と、アライメント観察光学系６０と、被検眼Ｅに対してアライメントを検出するためのＸＹアライメント光学系７０と、被検眼Ｅを固視させる固視光学系８０とを備えている。
【００１４】
［眼球波面収差測定光学系］
眼球波面収差測定光学系１００は、被検眼Ｅの眼底Ｅｆに照明光束（測定光束：第１測定光）としてのスポット光を照射する測定照明光学系２０と、眼底Ｅｆからの反射光束をエリアセンサ（第１受光素子）３１で受光する受光光学系３０とを有している。
【００１５】
［測定照明光学系］
測定照明光学系２０は、測定光源２１と、コンデンサレンズ２２と、偏光ビームスプリッタ２３と、ダイクロイックミラー２４と、ダイクロイックミラー２５と、対物レンズ２６とを有する。測定照明系２０では、コンデンサレンズ２２と対物レンズ２６との間に偏光ビームスプリッタ２３およびダイクロイックミラー２４、２５が配置されている。
【００１６】
偏光ビームスプリッタ２３は、照明光束のＰ偏光成分を反射し、後述する眼底Ｅｆからの反射光束のＳ偏光成分を透過するダイクロイックミラーにより構成されている。
【００１７】
ダイクロイックミラー２４は、照明光束および反射光束を反射し、後述する固視光束を透過する波長選択性ミラーにより構成されている。
【００１８】
ダイクロイックミラー２５は、照明光束、反射光束および固視光束を反射し、後述する観察光束を透過させるダイクロイックミラーにより構成されている。
【００１９】
測定光源２１は、近赤外線（第１測定光）を発光するＳＬＤ（スーパールミネッセンスダイオード）であり、光源移動手段４１により光軸方向に沿って移動可能となっている。なお、測定光源２１は、レーザーやＬＥＤ等を用いてもよい。
【００２０】
［受光光学系］
受光光学系３０は、エリアセンサ３１と、ハルトマン板３２と、レンズ３３と、レンズ３４と、反射鏡３５と、偏光ビームスプリッタ２３と、ダイクロイックミラー２４,２５および対物レンズ２６とを有する。
【００２１】
また、受光光学系３０は、被検眼Ｅから偏光ビームスプリッタ２３までの光学系は測定照明光学系２０の光学系と共通とされている。
【００２２】
反射鏡３５は、眼底Ｅｆからの反射光束の光軸を、測定光源２１から出射される照明光束の光軸の方向と平行にする役割を果たす。すなわち、受光光学系３０では、測定照明光学系２０により照明された被検眼Ｅの網膜（眼底）Ｅｆからの反射光束を、対物レンズ２６を経てダイクロイックミラー２４およびダイクロイックミラー２５で反射し、偏光ビームスプリッタ２３を透過させて反射鏡３５で反射することにより、レンズ３３、レンズ３４およびハルトマン板３２が配置された測定光軸上へと導く。
【００２３】
レンズ３３は、レンズ３４を通過した反射光束を平行光束に変換してハルトマン板３２に導く。
【００２４】
ハルトマン板３２は、光軸と直交する面内に配された複数のマイクロフレネルレンズ等のマイクロレンズを有し、これにより眼底Ｅｆからの反射光束（平行反射光束）を複数の分割光束に分割してエリアセンサ３１の受光面上に集光させる。
【００２５】
エリアセンサ３１は、複数の分割光束を受光して各分割光束の受光光量に応じた受光信号Ｓ４を出力する。このエリアセンサ３１からの受光信号Ｓ４に基づいて波面収差が求められる。この波面収差の変化（エリアセンサ３１の受光面上の各輝点の理想波面に対する移動量）に基づいて解析する（エリアセンサ３１で得られた光束の傾き角度に基づいてゼルニケ解析を行う）ことにより、被検眼Ｅの光学特性（屈折状態や収差量等）を演算する。
【００２６】
ハルトマン板３２とエリアセンサ３１とからなるセンサユニット３６は、光軸方向に沿って移動可能となっており、センサ移動手段４２によって光軸方向に移動される。
【００２７】
このセンサ移動手段４２と光源移動手段４１とは、被検眼Ｅの屈折度数に応じて、測定光源２１と被検眼Ｅの網膜（眼底）Ｅｆとエリアセンサ３１（その受光面）とが略共役な位置関係となるように、それぞれ駆動される。このような移動の方法としては、あらかじめ「０」ディオプタ（以下、「０」Ｄと記載する）の被検眼Ｅを測定した時のエリアセンサ３１上の輝点の間隔を記憶し、実際に測定する被検眼Ｅを測定した際のエリアセンサ３１上の輝点間隔が、記憶している間隔と略一致する位置まで移動すればよい。
【００２８】
この実施例では、測定光源２１の移動量とセンサユニット３６の移動量とが等しくなるように、測定照明光学系２０および受光光学系３０が光学的に構成され、測定光源２１とセンサユニット３６とがリンクされており、光源移動手段４１とセンサ移動手段４２とが単一の駆動源（例えばモータ）で駆動される単一の光学系移動手段（図示せず）として構成されている。また、後述するように、視標移動手段４３も単一の光学系移動手段により移動される。これら光学系移動手段は、駆動部１４（図２参照）からの移動制御信号Ｓ３によって駆動制御される。
【００２９】
［角膜波面収差測定光学系］
角膜波面収差測定光学系２００は、前眼部を照明する前眼部照明光学系５０と、前眼部で反射する反射光を受光する受光光学系（アライメント観察光学系）６０とを有している。
【００３０】
［前眼部照明光学系］
前眼部照明光学系５０は、被検眼Ｅの角膜Ｅｃの曲率の測定と、被検眼Ｅと装置の作動距離を検出するＺアライメントとに用いられ、プラチドリングパターン板５１と、一対の光源（ＬＥＤ）５２と、一対のコリメータレンズ５３とを有する。
【００３１】
［プラチドリングパターン板］
プラチドリングパターン板５１は、図３に示すように、光を透過し且つ対物レンズ２６を取り囲むように（対物レンズ２６の光軸を中心とする）同心円状に形成された複数のリングパターン５４,５５,５６…と一対の開口５７とを有する。
【００３２】
一対の開口５７は、リングパターン５５の中心を通る（対物レンズ２６の光軸に直交する）直線上であってリングパターン５５上に設けられており、リングパターン５５の直径寸法と両開口５７の中心位置の間隔とが等しく設定されている。
【００３３】
プラチドリングパターン板５１の裏面（対物レンズ２６側）には、リングパターン５４,５５,５６…に沿って複数のＬＥＤ（図示せず）が配置され、この複数のＬＥＤによりプラチドリングパターン板５１が照明され、リングパターン５４,５５,５６…を透過した光束（第２測定光）により、被検眼Ｅの角膜Ｅｃをリング状の発光パターンで照明する。
【００３４】
光源ＬＥＤ５２は、各開口５７に対応して、プラチドリングパターン板５１の裏面側に設けられている。
【００３５】
コリメータレンズ５３は、光源ＬＥＤ５２から射出された光束を平行光束にしてプラチドリングパターン板５１の開口５７を照明し、この開口５７を通過した平行光束は被検眼Ｅの角膜Ｅｃを照明する。
【００３６】
前眼部照明光学系５０は、上述したように、リング状の発光パターンに加えて一対の光源ＬＥＤ５２による輝点として角膜Ｅｃを照明する。この光束は、角膜Ｅｃ（その表面）で反射され、この反射された観察光束が対物レンズ２６およびダイクロイックミラー２５を透過し、後述するアライメント観察光学系６０を経て、そのエリアセンサ６１上に、リング状の投影像５４´,５５´,５６´…に加えて一対の光源ＬＥＤ５２による一対の輝点像５７´を形成する（図４参照）。上述したように、プラチドリングパターン板５１では、一対の開口５７がリングパターン５５上に設けられ、リングパターン５５の直径寸法と両開口５７の中心位置の間隔とが等しく設定されている。
【００３７】
また、前眼部照明光学系５０では、角膜Ｅｃに対する照明方向が対物レンズ２６の光軸方向に対して傾斜されているとともに、その光軸方向で見たプラチドリングパターン板５１の裏面に設けられたＬＥＤの出射位置と光源ＬＥＤ５２の出射位置とが異なって設定されている。このため、前眼部照明光学系５０によりエリアセンサ６１（その受光面）上に形成される像で見ると、Ｚアライメントが合致している場合、リング状の投影像５５´の直径寸法ＲＬと一対の輝点像５７´の中心位置の間隔ＤＬとが等しくなる（図４参照）。また、前眼部照明光学系５０によりエリアセンサ６１（その受光面）上に形成される像で見ると、Ｚアライメントの変化に拘らず、一対の輝点像５７´の中心位置の間隔ＤＬが変化することはないが、Ｚアライメントの変化に応じて、リング状の投影像５５´の直径寸法ＲＬが変化する。このことから、エリアセンサ６１（その受光面）上では、Ｚアライメントが合致していない場合、リング状の投影像５５´の直径寸法ＲＬと一対の輝点像５７´の中心位置の間隔ＤＬとに差異が生じる（図５参照）。このため、前眼部照明光学系５０によりエリアセンサ６１（その受光面）上に形成されるリング状の投影像５５´の直径寸法ＲＬと、一対の輝点像５７´の中心位置の間隔ＤＬとが等しくなるように、被検眼Ｅに対する装置の位置を前後させることにより、被検眼Ｅと装置との距離を一定に保つＺアライメントを実行することができる。
【００３８】
［アライメント観察光学系］
アライメント観察光学系６０は、エリアセンサ６１と、結像レンズ６２と、リレーレンズ６３と、ハーフミラー６４と、ダイクロイックミラー２５と、対物レンズ２６とを有する。また、アライメント観察光学系６０は、上述したように、被検眼Ｅからダイクロイックミラー２５までの光学系が測定照明光学系２０の光学系と共通とされている。
【００３９】
エリアセンサ６１は、例えばＣＣＤによって構成されている。このエリアセンサ６１（ＣＣＤ）の受光面には、上述したように、前眼部照明光学系５０によるリング状の投影像５４´,５５´,５６´…および一対の輝点像５７´と、後述するＸＹアライメント光学系７０によるＸＹアライメント用の輝点像７１´とが形成されるようになっている。
【００４０】
［ＸＹアライメント光学系］
ＸＹアライメント光学系７０は、アライメント光源７１と、レンズ７２と、反射鏡７３と、ハーフミラー６４と、ダイクロイックミラー２５と、対物レンズ２６とを有する。
【００４１】
ＸＹアライメント光学系７０は、アライメント光源７１から出射したアライメント光をレンズ７２で平行光束にして反射鏡７３で反射させ、さらにハーフミラー６４で反射させてダイクロイックミラー２５および対物レンズ２６を介して被検眼Ｅの角膜Ｅｃに照明させる。
【００４２】
ここで、エリアセンサ６１が、角膜Ｅｃの曲率によってできる虚像（プルキンエ像）と略共役となるように配置されており、ＸＹアライメント光学系７０から角膜Ｅｃを照明することにより、その角膜Ｅｃ（その表面）で反射された光束（以下、調整光束という）は、対物レンズ２６、ダイクロイックミラー２５、ハーフミラー６４、リレーレンズ６３を通って結像レンズ６２によりエリアセンサ６１上に集光したＸＹアライメント用の輝点像７１´を形成する（図４参照）。
【００４３】
このＸＹアライメント光学系７０では、図４に示すように、被検眼Ｅの角膜頂点がアライメント観察光学系６０の光軸と一致しているとき、ＸＹアライメント用の輝点像７１´が、エリアセンサ６１（その受光面）上の中心に位置するように設定されている。ここで、ＸＹアライメント用の輝点像７１´は、被検眼Ｅの角膜頂点がアライメント観察光学系６０の光軸と直交する平面内で移動すると、その移動量に応じてエリアセンサ６１（その受光面）上を移動する。このことから、ＸＹアライメント用の輝点像７１´がエリアセンサ６１（その受光面）上の中心に位置するように、被検眼Ｅに対して装置本体を移動させることにより、ＸＹアライメントを実行することができる。
【００４４】
［固視光学系］
固視光学系８０は、被検眼Ｅに、固視や雲霧のための固視視標（固視チャート）を投影する光学系であり、光源８１と、レンズ８２と、固視チャート（固視標）８３と、レンズ８４と、レンズ８５と、反射鏡８６と、ダイクロイックミラー２４と、ダイクロイックミラー２５と対物レンズ２６とを有する。固視光学系８０は、上述したように、被検眼Ｅからダイクロイックミラー２４までの光学系は測定照明光学系２０と共通とされている。
【００４５】
反射鏡８６は、光源８１から出射され、レンズ８２、固視標８３、レンズ８４およびレンズ８５を透過した光束（以下、固視光束という）を、測定照明光学系２０における測定光源２１からの照明光束の光軸の方向、および受光光学系３０におけるエリアセンサ３１に向かう反射光束の光軸の方向と一致させる役割を有する。光源８１は、可視領域の波長の光（以下、単に可視光という）を出射する光源であり、タングステンランプやＬＥＤが用いられている。また、光源８１は、光量が可変とされている。この可変な範囲としては、少なくとも、固視標像を観察させる被検眼Ｅに対して、夜間の環境下と同等の明るさを照射することのできる光量から昼間の環境下と同等の明るさを照射することのできる光量までを含むものとされている。このため、固視光学系８０（その光源８１）は、測定光学系の光軸に沿って可視光により被検眼Ｅを照明する可視光照明手段として機能する。
【００４６】
この実施例では、光源８１は、夜間の環境下と同等の明るさを照射することのできる光量から昼間の環境下と同等の明るさを照射することのできる光量までの４段階の明るさに切り換え可能となっている。
【００４７】
固視標８３は、図示は略すが風景や放射線のパターンからなり、光源８１から出射された光束により後方から照明される。この固視光学系８０では、光源８１から出射され固視標８３を透過した可視光（以下、固視光束という）を、レンズ８４およびレンズ８５を透過させ、反射鏡８６により反射させ、ダイクロイックミラー２４を透過させ、ダイクロイックミラー２５で反射して対物レンズ２６を経て被検眼Ｅに入射させることにより、その網膜（眼底）Ｅｆに固視標８３を投影させ、被検眼Ｅにその固視標像を視認させる。これにより、被検眼Ｅの視線を固視標８３に固定するものである。
【００４８】
この固視光学系８０の光源８１とレンズ８２および固視標８３とからなる視標ユニット８７は、視標移動手段４３により固視光学系８０の固視光軸に沿って移動可能となっている。視標移動手段４３は、網膜（眼底）Ｅｆ上に固視標８３の像を形成できる位置（ピントの合う位置）まで、固視光学系８０を移動させるように駆動される。また、視標移動手段４３は、被検眼Ｅの度数を測定する場面では、被検眼Ｅの調節の影響をなくすために、ピントが合わなくなる位置まで移動する雲霧を行う。
【００４９】
なお、視標移動手段４３は、センサ移動手段４２および光源移動手段４１を駆動する単一の光学系移動手段によって駆動される。すなわち、光源移動手段４１とセンサ移動手段４２と視標移動手段４３とは単一の駆動源（例えばモータ）で駆動される。視標ユニット８７は、視標移動手段４３すなわち光学系移動手段への移動制御信号Ｓ３によって駆動制御されることになる。
【００５０】
［制御系］
図２は眼科装置１０の制御系の構成を示したものである。図２において、１１は制御演算部、１２は入力部（操作部）、１３は表示部（表示手段：モニタ）、１４は駆動部である。
【００５１】
制御演算部１１は、受光光学系３０のエリアセンサ３１からの受光信号Ｓ４と、アライメント観察光学系６０のエリアセンサ６１からの受光信号Ｓ７と、入力部１２からの操作信号とが入力される。
【００５２】
制御演算部１１は、入力される受光信号Ｓ４,Ｓ７を適宜処理する入力情報処理部１１ａと、入力情報処理部１１ａで処理された信号や入力部１２からの操作信号等に基づいて各光学系２０,５０,７０,８０の光源２１,５２,７１,８１の点灯制御や光学系移動手段の制御や駆動部１４の駆動制御を行う駆動制御部１１ｂと、入力情報処理部１１ａで処理された受光信号Ｓ４,Ｓ７に基づいて被検眼Ｅの波面収差や屈折力等を演算する解析処理部（眼球波面収差演算手段：角膜波面収差演算手段：シミュレーション手段）１１ｃと、画像表示制御部１１ｄと、各種のデータを記憶する記憶部１１ｅと、波面収差のマップなどの画像を形成する画像形成部１１ｆとを有する。
【００５３】
解析処理部１１ｃは、測定した波面収差およびその他の測定データから被検眼Ｅに関する種々の光学特性、例えば、点像分布係数（ＰＳＦ）、被検眼の伝達特性を示すＭＴＦ（Ｍｏｄｕｌａｔｉｏｎ  Ｔｒａｎｓｆｅｒ  Ｆｕｎｃｔｉｏｎ）、瞳孔径寸法、コントラスト感度等を演算する。そして、解析処理部１１ｃは、瞳孔径寸法計測手段として機能する。さらに、解析処理部１１ｃは、これら演算結果に応じた信号又は他の信号・データを、光学系および電気制御系の制御を行う駆動制御部１１ｂと、画像表示制御部１１ｄと、記憶部１１ｅとに適宜出力する。
【００５４】
画像表示制御部１１ｄは、入力情報処理部１１ａからの信号（受光光学系３０からの受光信号Ｓ４およびアライメント観察光学系６０からの受光信号Ｓ７等）に基づいて、被検眼Ｅの角膜Ｅｃの画像または波面を示す画像等を表示させるための信号を表示部１３へと出力する。また、画像表示制御部１１ｄは、測定結果、演算結果、解析結果や操作者がデータを入力、指示するためのウインドウ等を表示させるための信号を表示部１３へと出力する。
【００５５】
記憶部１１ｅは、被検眼Ｅに関するデータ、波面収差の演算に用いるデータ、測定における設定データ等を格納する。すなわち、入力情報処理部１１ａや駆動制御部１１ｂや解析処理部１１ｃから送信された情報を適宜格納し、当該格納した情報を、入力情報処理部１１ａや駆動制御部１１ｂや解析処理部１１ｃや画像表示制御部１１ｄからの求めに応じて適宜引き出させる。また、記憶部１１ｅは、測定を自動的に行う場合等の制御用プログラムを記憶する。
【００５６】
画像形成部１１ｆは、解析処理部１１ｃが求めた波面収差からマップを作成したりグラフを作成したりする。
【００５７】
入力部１２は、操作者が、所定の設定、指示、データ等の各種入力信号を入力するための、スイッチ、ボタン、キーボード等である。ここでは、表示部１３に表示されたボタン、アイコン、位置、領域等を支持するためのポインティングデバイス等も含むものとする。入力部１２は、自らに為された操作に応じた操作信号を制御演算部１１に出力する。入力部１２は、実施例１では、光量切換スイッチ１２ａと測定開始スイッチ１２ｂとを有する。光量切換スイッチ１２ａは、光源８１の光量を、設定された夜間の環境下と同等の明るさを照射することのできる光量から昼間の環境下と同等の明るさを照射することのできる光量までの４段階の明るさに切り換えるためのものであり、測定開始スイッチ１２ｂは、各種測定を実行させるためのものである。
【００５８】
表示部１３は、測定結果、演算結果、解析結果や操作者がデータを入力、指示するためのウインドウ、被検眼Ｅの画像等を表示する。表示部１３は、制御演算部１１の制御下で、適宜表示を行う。
【００５９】
駆動部１４は、例えば、制御演算部１１に入力されたエリアセンサ３１からの受光信号Ｓ４に基づいて、測定照明光学系２０の測定光源２１（光源移動手段４１）、受光光学系３０のセンサユニット３６（センサ移動手段４２）、および固視光学系８０の視標ユニット８７（視標移動手段４３）を一体的に光軸方向に移動させる光学系移動手段（図示せず）を駆動する。この駆動部１４は、光学系移動手段に対して移動制御信号Ｓ３を出力することにより、当該光学系移動手段を駆動する。
［動  作］
次に、上記実施例の眼科装置１０の動作について説明する。
【００６０】
先ず、固視光学系８０の光源８１を発光させて被検眼Ｅを固視させるとともに、ＸＹアライメント光学系７０のアライメント光源７１を発光させる。このアライメント光源７１から出射したアライメント光はレンズ７２で平行光束にされて反射鏡７３で反射され、さらにハーフミラー６４で反射させてダイクロイックミラー２５および対物レンズ２６を介して被検眼Ｅの角膜Ｅｃを照明する。
【００６１】
角膜Ｅｃ（その表面）で反射された調整光束は、対物レンズ２６、ダイクロイックミラー２５、ハーフミラー６４、リレーレンズ６３を通って結像レンズ６２によりエリアセンサ６１上に集光して輝点像７１´を形成する（図４参照）。
【００６２】
この輝点像７１´は、図４と同様に表示部１３に表示され、輝点像７１´がエリアセンサ６１（その受光面）上の中心位置すなわち表示部１３に表示されたマーク位置（図示せず）に位置するように、被検眼Ｅに対して装置本体を移動させてＸＹアライメントを行う。
【００６３】
そして、前眼部照明光学系５０の一対の光源５２と図示しない複数のＬＥＤを発光させる。この複数のＬＥＤの発光によりプラチドリングパターン板５１が照明され、被検眼Ｅの角膜Ｅｃにリング状の発光パターンが投影される。
【００６４】
この角膜Ｅｃで反射された観察光束は、対物レンズ２６およびダイクロイックミラー２５を透過し、アライメント観察光学系６０を経て、そのエリアセンサ６１上に、リング状の投影像５４´,５５´,５６´…に加えて一対の光源ＬＥＤ５２による一対の輝点像５７´を形成する。そして、表示部１３には、図４と同様に輝点像５７´とリング状の投影像５４´,５５´,５６´…とが表示される。
【００６５】
検者は、表示部１３に表示されるリング状の投影像５５´の直径寸法ＲＬと、一対の輝点像５７´の中心位置の間隔ＤＬとが等しくなるように、被検眼Ｅに対する装置本体の位置を前後させてＺアライメントを行う。
【００６６】
次に、波面収差の測定を行う場合について説明する。
【００６７】
図１に示すように、固視光学系８０の光源８１を所定の明るさで点灯し、被検眼Ｅに固視標像を観察させる。この状態において、ＸＹアライメントにより被検眼Ｅの角膜頂点と装置本体の測定光軸（対物レンズ２６の光軸）とを一致させるとともに、Ｚアライメントにより被検眼Ｅの角膜頂点から装置本体までの距離を一定に保つ。その後、測定照明光学系２０の測定光源２１を光学系移動手段により基準位置に移動して、その測定光源２１を点灯する。このとき、受光光学系３０のセンサユニット３６および固視光学系８０の視標ユニット８７も光学系移動手段により一体的に移動されることから、基準位置とされる。
【００６８】
この基準位置において、被検眼Ｅの屈折状態の仮測定を行い、この仮測定の結果に基づいて被検眼Ｅの屈折力を打ち消す位置に、測定照明光学系２０の測定光源２１、受光光学系３０のセンサユニット３６および固視光学系８０の視標ユニット８７を移動させ、その位置で再度被検眼Ｅの屈折状態を測定する。この再度の測定の結果、受光光学系３０のセンサユニット３６が被検眼Ｅの屈折力を略打ち消す位置となっていた場合、固視光学系８０の視標ユニット８７をプラス側へと移動して固視標像を雲霧させる。この状態で、被検眼Ｅの屈折状態および波面収差の測定を行う。
【００６９】
この測定では、測定照明光学系２０において、測定光源２１から出射されコンデンサレンズ２２を透過した光束を、偏光ビームスプリッタ２３、ダイクロイックミラー２４およびダイクロイックミラー２５で反射して対物レンズ２６の光軸上へと導き、そ検眼Ｅの眼底Ｅｆを照明する。これを照明光束Ｌｉとすると、図６に示すように、極めて小さな径の光束として対物レンズ２６を経て被検眼Ｅへと入射し、眼底Ｅｆの微小な領域（スポット光）を照明する。すると、眼底Ｅｆでは、照明光束Ｌｉが反射され、その反射された光束のうち瞳孔Ｅｐ（虹彩Ｅｉの内方）を通過した光束が、対物レンズ２６へ向かう。
【００７０】
これを反射光束Ｌｒとすると、反射光束Ｌｒは、図１に示すように、対物レンズ２６を経て受光光学系３０へと導かれる。すなわち、反射光束Ｌｒは、受光光学系３０において、対物レンズ２６を経てダイクロイックミラー２４およびダイクロイックミラー２５で反射され、偏光ビームスプリッタ２３を透過して反射鏡３５で反射され、レンズ３３、レンズ３４およびハルトマン板３２へ向かい、このハルトマン板３２を経て複数の分割光束に分割されてエリアセンサ３１の受光面上に集光される。
【００７１】
エリアセンサ３１は、各分割光束を受光して光電変換することにより、各分割光束の受光光量に応じた受光信号Ｓ４を制御演算部１１へと出力する。制御演算部１１は、解析処理部１１ｃにおいて受光信号Ｓ４により取得したデータから波面収差（眼球波面収差）を得ることができ、この波面収差の変化（エリアセンサ３１の受光面上の各輝点の理想波面に対する移動量）に基づき解析することにより、被検眼Ｅの光学特性（屈折状態や収差量等）を演算することができる。
【００７２】
ここで、この演算された屈折状態は、図６に示すように、被検眼Ｅにおける反射光束Ｌｒが透過した領域（図６でハッチを付した領域（符号Ａｒ））での実際の光学的な要素の総てを包含したものとなる。
【００７３】
上記の波面収差の測定を一秒毎に１０回行い、これら測定した波面収差の標準偏差を求め、図７に示すように、この標準偏差と予め設定した基準値とを比較し（ステップ１）、標準偏差が基準値より大きいとき、すなわちドライアイであると判断されたときステップ２へ進む。
【００７４】
なお、各回の測定の波面収差は、眼球全体で１つのＲＭＳ（二乗平均平方根）値を算出し、この値を波面収差として用いる。
【００７５】
ステップ２では、各測定した波面収差のマップＭ１〜Ｍ１０を画像形成部１１ｆが作成し、このマップＭ１〜Ｍ１０を図８に示すように表示部１３に表示する。さらに、各波面収差からランドルト環が被検者にどのように見えるかを解析処理部１１ｃがシミュレーションし、このシミュレーションしたランドルト環Ｋ１〜Ｋ２を表示部１３に表示する。なお、マップＭ１〜Ｍ１０における波面収差の値はＨ１＜Ｈ２＜Ｈ３＜Ｈ４である。また、波面収差が大きくなるほどランドルト環はぼけることになる。
【００７６】
また、表示部１３には、測定回数に対する波面収差（ＲＭＳ値）を示すグラフＧ１を表示する。このグラフＧ１も画像形成部（グラフ作成手段）１１ｆで作成する。
【００７７】
さらに、エリアセンサ６１上に形成されるリング状の投影像５４´,５５´,５６´…に基づいて、演算制御部１１の解析処理部１１ｃが角膜Ｅｃの波面収差を上記測定毎に求め、測定回数に対する角膜Ｅｃの波面収差を示すグラフＧ２を画像形成部１１ｆが作成し、このグラフＧ２が図８に示すように表示部１３に表示される。
【００７８】
ステップ１でノーと判断された場合、すなわち、標準偏差が基準値以下の場合つまり、ドライアイでないと判断された場合ステップ３へ進む。
【００７９】
ステップ３では、制御演算部１１の解析処理部１１ｃが求めた角膜Ｅｃの波面収差に基づいて、各測定毎の波面収差のマップを画像形成部１１ｆが作成し、このマップＭ１ｃ〜Ｍ１０ｃを図９に示すように表示部１３に表示させる。
【００８０】
このように、ドライアイでないと判断した場合、波面収差の経時的変化の激しい角膜の波面収差のマップＭ１ｃ〜Ｍ１０ｃを表示部１３に表示するようにしたものであるから、このマップＭ１ｃ〜Ｍ１０ｃが波面収差の経時的変化の小ささを示していれば、ドライアイでないことがよりはっきりと認識することができる。つまり、ドライアイでないことの確証を得ることができることになる。なお、図９に示すマップＭ５ｃ〜Ｍ１０ｃでは角膜の波面収差を誇張して示してある。
【００８１】
上記実施例では、ステップ１で標準偏差と基準値とを比較しているが、波面収差の平均値と基準値とを比較して判断してもよい。
【００８２】
この発明は、上記実施例に限られるものではなく、特許請求の範囲に係る発明の要旨を逸脱しない限り、設計の変更や追加等は許容される。
【符号の説明】
【００８３】
１１ｃ        解析処理部（眼球波面収差演算手段：角膜波面収差演算手段）
１３          表示部（表示手段）
３１          エリアセンサ（第１受光素子）
６１          エリアセンサ（第２受光素子）
１００          眼球波面収差測定光学系
２００          角膜波面収差測定光学系
【図１】
0005562621.tif 000002
【図２】
0005562621.tif 000003
【図６】
0005562621.tif 000004
【図７】
0005562621.tif 000005
【図８】
0005562621.tif 000006
【図９】
0005562621.tif 000007
【図３】
0005562621.tif 000008
【図４】
0005562621.tif 000009
【図５】
0005562621.tif 000010